(57)【要約】【課題】気流を有効に活用することができるダクト式空調システムおよびその吹出し口構造を提供すること。【解決手段】ダクト式空調システムの吹出し口構造（７０）は、建物の天井空間に設けられ、空調機につながる空調ダクトと連結されたダクト式空調システムの吹出し口構造において、側面および下面を有する吹出しボックス（７１）と、屋内空間（１１０）に露出し、吹出しボックスの側面に設けられる側面グリル（７４）と、屋内空間に露出し、吹出しボックスの下面に設けられる下面グリル（７５）と、吹出しボックス内に設けられ、側面グリルから屋内空間の空気を取り込んで、下面グリルから屋内空間に向けて風を送り出す送風機（７６）とを備える。【選択図】図３
2019178814.tif 000002
【特許請求の範囲】
【請求項１】
建物の天井空間に設けられ、空調機につながる空調ダクトと連結されたダクト式空調システムの吹出し口構造において、
側面および下面を有する吹出しボックスと、
屋内空間に露出し、前記吹出しボックスの側面に設けられる側面グリルと、
屋内空間に露出し、前記吹出しボックスの下面に設けられる下面グリルと、
前記吹出しボックス内に設けられ、前記側面グリルから屋内空間の空気を取り込んで、前記下面グリルから屋内空間に向けて風を送り出す送風機とを備えることを特徴とする、ダクト式空調システムの吹出し口構造。
【請求項２】
前記側面グリルの開口面積は、前記下面グリルの開口面積よりも大きい、請求項１に記載のダクト式空調システムの吹出し口構造。
【請求項３】
前記送風機は、前記下面グリルに近接して設けられている、請求項１または２に記載のダクト式空調システムの吹出し口構造。
【請求項４】
前記送風機は、クロスフローファンである、請求項１〜３のいずれかに記載のダクト式空調システムの吹出し口構造。
【請求項５】
前記送風機は、正転逆転可能なプロペラファンである、請求項１〜３のいずれかに記載のダクト式空調システムの吹出し口構造。
【請求項６】
前記空調機および前記送風機の動作を制御可能な制御装置をさらに備え、
前記制御装置は、稼働中に前記下面グリルから放出される空気の風速および温度に基づいて体感温度を算出する、請求項１〜５のいずれかに記載のダクト式空調システムの吹出し口構造。
【請求項７】
前記制御装置は、室内温度の目標とする温度である快適温度を設定し、
前記体感温度が前記快適温度よりも高いときは、前記送風機の風量を大きくする処理、および／または、前記空調機の設定温度を下げる処理を行い、
前記体感温度が前記快適温度よりも低いときは、前記送風機の風量を小さくする処理、および／または、前記空調機の設定温度を上げる処理を行う、請求項６に記載のダクト式空調システムの吹出し口構造。
【請求項８】
天井空間と屋内空間とを仕切る天井仕切り部は、下がり天井または化粧梁を含み、
前記吹出しボックスは、前記下がり天井または前記化粧梁の内部に設けられている、請求項１〜７のいずれかに記載のダクト式空調システムの吹出し口構造。
【請求項９】
建物の天井空間に設けられるダクト式空調システムにおいて、
空調機と、
前記空調機につながる空調ダクトと
前記空調ダクトに連結され、側面および下面を有する吹出しボックスと、
屋内空間に露出し、前記吹出しボックスの側面に設けられる側面グリルと、
屋内空間に露出し、前記吹出しボックスの下面に設けられる下面グリルと、
前記吹出しボックス内に設けられ、前記側面グリルから屋内空間の空気を取り込んで、前記下面グリルから屋内空間に向けて風を送り出す送風機とを備えることを特徴とする、ダクト式空調システム。
【発明の詳細な説明】
【技術分野】
【０００１】
この発明は、建物の天井空間に設けられるダクト式空調システムおよびその吹出し口構造に関する。
【背景技術】
【０００２】
従来から、ダクト式空調システムにおいて、吹出し口からの風が直接人体に当たらないようにするために、ルーバーなどで風向を変える技術が知られている。また、空調機からの空気と屋内空間の空気を混合させることで、吹出し口から送り出される空気を適温にする技術が知られている。
【０００３】
たとえば、実用新案登録第３１７６５００号公報（特許文献１）には、屋内空間の空気と、空調機からの空気とを混合して、混合空気として屋内空間に吹出す天井埋設式の空調システムが開示されている。
【先行技術文献】
【特許文献】
【０００４】
【特許文献１】実用新案登録第３１７６５００号公報
【発明の概要】
【発明が解決しようとする課題】
【０００５】
吹出し口に用いられるルーバーは、低温の風を人体に当てないように風向を調整するものであり、空調システムからの風を活用できるものではない。また、特許文献１の空調システムは、第１開口と第２開口が天井の同一面上に設けられているため、屋内空間に吹出す風を積極的に活用できていない。
【０００６】
本発明は、上記のような課題を解決するためになされたものであって、その目的は気流を有効に活用することができるダクト式空調システムおよびその吹出し口構造を提供することを目的とする。
【課題を解決するための手段】
【０００７】
本発明の一態様に係るダクト式空調システムの吹出し口構造は、建物の天井空間に設けられ、空調機につながる空調ダクトと連結されたダクト式空調システムの吹出し口構造において、側面および下面を有する吹出しボックスと、屋内空間に露出し、吹出しボックスの側面に設けられる側面グリルと、屋内空間に露出し、吹出しボックスの下面に設けられる下面グリルと、吹出しボックス内に設けられ、側面グリルから屋内空間の空気を取り込んで、下面グリルから屋内空間に向けて風を送り出す送風機とを備える。
【０００８】
好ましくは、側面グリルの開口面積は、下面グリルの開口面積よりも大きい。
【０００９】
好ましくは、送風機は、下面グリルに近接して設けられている。
【００１０】
好ましくは、送風機は、クロスフローファンである。
【００１１】
好ましくは、送風機は、正転逆転可能なプロペラファンである。
【００１２】
好ましくは、空調機および送風機の動作を制御可能な制御装置をさらに備え、制御装置は、稼働中に下面グリルから放出される空気の風速および温度に基づいて体感温度を算出する。
【００１３】
好ましくは、制御装置は、室内温度の目標とする温度である快適温度を設定し、体感温度が前記快適温度よりも高いときは、送風機の風量を大きくする処理、および／または、空調機の設定温度を下げる処理を行い、体感温度が前記快適温度よりも低いときは、送風機の風量を小さくする処理、および／または、空調機の設定温度を上げる処理を行う。
【００１４】
好ましくは、天井空間と屋内空間とを仕切る天井仕切り部は、下がり天井または化粧梁を含み、吹出しボックスは、下がり天井または化粧梁の内部に設けられている。
【００１５】
本発明の一態様に係るダクト式空調システムは、建物の天井空間に設けられるダクト式空調システムにおいて、空調機と、空調機につながる空調ダクトと空調ダクトに連結され、側面および下面を有する吹出しボックスと、屋内空間に露出し、吹出しボックスの側面に設けられる側面グリルと、屋内空間に露出し、吹出しボックスの下面に設けられる下面グリルと、吹出しボックス内に設けられ、側面グリルから屋内空間の空気を取り込んで、下面グリルから屋内空間に向けて風を送り出す送風機とを備える。
【発明の効果】
【００１６】
本発明によれば、気流を有効に活用することができるダクト式空調システムおよびその吹出し口構造を提供することを目的とする。
【図面の簡単な説明】
【００１７】
【図１】本発明の実施の形態に係るダクト式空調システムが用いられた建物を示す模式図である。
【図２】本発明の実施の形態に係るダクト式空調システムを示す斜視図である。
【図３】本発明の実施の形態に係るダクト式空調システムの吹出し口構造を示す模式図であり、（Ａ）は屋内空間における吹出し口構造の設置箇所を示す模式図であり、（Ｂ）は吹出し口構造の斜視図であり、（Ｃ）は図３（Ｂ）で示すＩＩＩ（Ｃ）−ＩＩＩ（Ｃ）線に沿う断面図である。
【図４】本発明の実施の形態に係るダクト式空調システムの吹出し口構造の動作を説明する模式断面図であり、（Ａ）は空調機を稼働させ、送風機を稼働させていない状態であり、（Ｂ）は空調機および送風機を稼働させている状態であり、（Ｃ）空調機を稼働させず、送風機だけを稼働させた状態である。
【図５】本発明の実施の形態に係るダクト式空調システムの機能構成を示すブロック図である。
【図６】制御装置が実行する処理を示すフローチャートである。
【図７】図６の処理の後、制御装置が実行する処理を示すフローチャートである。
【図８】（Ａ）はダクト式空調システムの吹出し口構造の変形例を示す模式断面図であり、（Ｂ）は吹出し口構造の動作を説明する模式断面図である。
【図９】屋内空間における吹出し口構造の他の設置箇所を示す模式断面図である。
【発明を実施するための形態】
【００１８】
本発明の実施の形態について図面を参照しながら詳細に説明する。なお、図中同一または相当部分には同一符号を付してその説明は繰り返さない。
【００１９】
＜概要について＞
本実施の形態に係るダクト式空調システム１は、複数の部屋を空調する全館空調方式を採用している。はじめに、図１を参照しながら、全館空調形式を採用した建物１００について説明する。
【００２０】
建物１００は、たとえば２階建ての住宅であり、屋内空間１１０には複数の部屋が配置されている。住宅１００の１階に、居室１１１，１１２および非居室１１３が配置されている。居室１１１は、たとえばリビングであり、居室１１２は、たとえば寝室などの個室である。非居室１１３は、階段１１４の上り口が設けられた通路室（廊下または玄関ホール）である。住宅１００の２階（すなわち最上階）には、複数の居室１１５，１１６および非居室１１７が配置されている。居室１１５，１１６は、たとえば寝室などの個室である。非居室１１７は、居室１１５側に階段１１４の下り口が設けられた通路室（廊下）である。つまり、階段１１４は１階と２階とを吹き抜ける吹抜け部であり、この階段１１４を介して、２階の非居室１１７と１階の非居室１１３とは仕切りなく通じている。そのため、これらの非居室１１３，１１７は、１つのホール部を構成している。
【００２１】
なお、本実施の形態において「部屋」とは、居室および非居室を含み、「居室」とは、居住、作業、娯楽などの目的のために継続的に使用する空間をいい、「非居室」とは、居室以外の室のうち、衛生目的や通路として使用され、継続的に使用されない空間を表わす。
【００２２】
住宅１００の１階と２階の間、２階と屋根の間には、天井空間１２０が形成されている。１階の屋内空間１１０（居室１１１，１１２、非居室１１３）と天井空間１２０、２階の屋内空間１１０（居室１１５，１１６、非居室１１７）と天井空間１２０は、天井仕切り部１２１により仕切られている。この１，２階の天井空間１２０には、本実施の形態に係るダクト式空調システム１がそれぞれ設けられている。以下、ダクト式空調システム１について説明する。
【００２３】
＜ダクト式空調システムについて＞
図２をさらに参照してダクト式空調システム１について簡単に説明する。図２において、矢印Ａ１で示す方向を上下方向といい、矢印Ａ２で示す方向を横方向、矢印Ａ３で示す方向を奥行き方向という。
【００２４】
本実施の形態に係るダクト式空調システム１は、空調機１０から排出された空気を、複数のダクトを介して住宅１００内の複数の部屋間で循環させるものである。本実施の形態に係るダクト式空調システム１は、たとえば空調機１０と、吸い込み口５０と、送風用ファン２０と、分岐チャンバ３０と、吹出し口構造７０（図１）とを備える。また、ダクト式空調システム１は、これらの空調機１０、吸い込み口５０、送風用ファン２０、分岐チャンバ３０および吹出し口構造７０（図１）とを連結するものとして、第１主ダクト６１と、第２主ダクト６２と、吸い込みダクト６３と、複数の分岐ダクト６４とを備える。
【００２５】
空調機１０は、空調機本体１１と、空調機本体１１を覆う箱状の空調機用筐体１２とを含む。空調機本体１１は、たとえばダクト式空調機である。空調機本体１１は、吸い込み口５０から吸い込んだ空気を空調空気として吐出する。空調機用筐体１２は、断熱材で形成されていてもよい。空調機用筐体１２の側面には、奥行き方向に延びる第１主ダクト６１が連結されており、空調機１０は送風用ファン２０と接続されている。空調機用筐体１２の下面には、上下方向に延びる吸い込みダクト６３が連結されており、空調機１０は吸い込み口５０と接続されている。
【００２６】
吸い込み口５０は、屋内空間１１０の空気を空調機１０に送り込むために屋内空間１１０の空気を吸い込むものである。吸い込み口５０は、図１に示す非居室１１３，１１７に面している。吸い込み口５０には、たとえばハウスダスト、花粉などから空気を清浄するためにフィルターなどが取り付けられている。吸い込み口５０は、メンテナンス作業を容易にするために、床面付近に配置されている。
【００２７】
送風用ファン２０は、ファン本体２１と、ファン本体２１を覆う箱状のファン用筐体２２とを含む。ファン本体２１は、空調機１０からの空気を分岐チャンバ３０に向けて送り出すものである。ファン用筐体２２は、断熱材で形成されていてもよい。ファン用筐体２２の側面には、横方向に延びる第２主ダクト６２が連結されており、送風用ファン２０は分岐チャンバ３０と接続されている。第１主ダクト６１と第２主ダクト６２とは直交する位置関係でファン用筐体２２に取り付けられている。つまり、送風用ファン２０は、空調機１０からの空気の流れる方向を転換させるものである。
【００２８】
分岐チャンバ３０は、空調機１０からの空気を分岐して排出するものであり、第２主ダクト６２から送られてきた空気を、たとえば６つの分岐ダクト６４に分岐する。分岐チャンバ３０には、その内部において、空気の風量を調節するダンパ（図示せず）が取り付けられている。
【００２９】
図１に示すように、吹出し口構造７０は、天井仕切り部１２１に設けられている。各分岐ダクト６４が各部屋に設けられた吹出し口構造７０に接続されることにより、分岐チャンバ３０内の空気を屋内空間１１０に送り込むことが可能である。吹出し口構造７０については、後述する。
【００３０】
図２に示すように、天井仕切り部１２１には、天井点検口１３０が設けられる。空調機１０、送風用ファン２０および分岐チャンバ３０は、天井点検口１３０に隣接して設けられる。これにより、天井点検口１３０から空調機１０、送風用ファン２０および分岐チャンバ３０にアクセスすることができるため、これらの機器の点検口を共通化することが可能である。なお、天井点検口１３０には、天井点検口１３０の開口部分を覆う蓋部（図示せず）が設けられ、蓋部は天井仕切り部１２１の一部を形成する。
【００３１】
＜吹出し口構造について＞
図３を参照して、ダクト式空調システム１の吹出し口構造７０について、詳細に説明する。図３は、本発明の実施の形態に係るダクト式空調システム１の吹出し口構造７０を示す模式図であり、図３（Ａ）は屋内空間１１０における吹出し口構造７０の設置箇所を示す模式図であり、図３（Ｂ）は吹出し口構造７０の模式斜視図であり、図３（Ｃ）は図３（Ｂ）で示すＩＩＩ（Ｃ）−ＩＩＩ（Ｃ）線に沿う模式断面図である。なお、図３以降の断面図において、理解容易のため、ハッチングを省略している。
【００３２】
図３（Ａ）に示すように、吹出し口構造７０は、屋内空間１１０の略中央に設けられる。天井仕切り部１２１は化粧梁１２５含み、吹出し口構造７０は化粧梁１２５に設けられている。
【００３３】
図３（Ｂ）および図３（Ｃ）に示すように、ダクト式空調システム１の吹出し口構造７０は、吹出しボックス７１と、側面グリル７４と、下面グリル７５と、送風機７６とを備える。吹出しボックス７１は、長手方向に延びる一対の側面７２と、一対の側面７２を結ぶ下面７３とから形成される。本実施の形態では、一対の側面７２および下面７３は、化粧梁１２５により形成されていてもよい。長手方向に延びる側面７２および下面７３の端部には、分岐ダクト６４が連結されている。分岐ダクト６４は、端部の略中央部に取り付けられている。図３（Ｃ）以降の図では、理解容易のため、分岐ダクト６４を破線で示している。
【００３４】
吹出しボックス７１の側面７２には、屋内空間１１０に露出する側面グリル７４が設けられている。側面グリル７４は、一対の側面７２のうちの一方に設けられているが、両方に設けられていてもよい。側面グリル７４から吹出す風は、直接居住者に当たらず、屋内空間１１０の冷房を効果的に行うことができる。吹出しボックス７１の下面７３には、屋内空間１１０に露出する下面グリル７５が設けられている。下面グリル７５から吹出す風は、直接居住者に当たるため、居住者に「気流感」を与えることができ、居住者に「涼感」を感じさせることができる。側面グリル７４および下面グリル７５は、たとえば格子状グリル、打ち抜きグリル、羽根付きグリルであり、固定式グリルだけでなく、可動式グリルも含む。
【００３５】
側面グリル７４の開口面積は、下面グリル７５の開口面積よりも大きい。開口面積とは、グリルを構成する部材が設けられていない開口箇所を合計した面積である。屋内空間１１０の中央付近に設けられる化粧梁１２５に吹出し口構造７０を設置することで、屋内空間１１０のデザインを損なうことがない上に、居室１１６の中央付近に滞在する居住者は涼感を感じることができる。
【００３６】
図３（Ｃ）に示すように、送風機７６は、吹出しボックス７１内に設けられている。送風機７６は、側面グリル７４から屋内空間１１０の空気を取り込んで、下面グリル７５から屋内空間１１０に向けて風を送り出すものである。送風機７６は、たとえばクロスフローファンである。送風機７６は、下面グリル７５に近接して設けられている。つまり、送風機７６は、分岐ダクト６４の中心位置からずれた下方位置に設けられている。これにより、送風機７６が分岐ダクト６４からの空気を遮らないため、分岐ダクト６４からの風を積極的に送り出すことができる。
【００３７】
図４は、本発明の実施の形態に係るダクト式空調システム１の吹出し口構造７０の動作を説明する模式断面図である。吹出し口構造７０は、モードＡ，Ｂ，Ｃの３つの動作を有する。図４を参照して、吹出し口構造７０の動作について説明する。図４において、矢印は風の流れを示し、矢印の太さは風量を表す。
【００３８】
図４（Ａ）は、空調機１０を稼働させ、送風機７６を稼働させていない状態のモードＡを示す模式断面図である。図４（Ａ）を参照して、モードＡでは、側面グリル７４の開口面積が下面グリル７５の開口面積よりも大きいため、側面グリル７４から吹出す風量（太い矢印）が下面グリル７５から吹出す風量（細い矢印）よりも大きい。
【００３９】
このように、空調機１０を冷房運転または暖房運転させ、送風機７６を稼働させない場合は、ほとんどの風が側面グリル７４から吹出すため、風が人体に当たらない、いわゆる「気流レス空調」を実現することができ、居住者に直接風が当たることによる不快感を回避することができる。そのため、この動作は居住者が在室している場合に有効である。さらに、側面グリル７４から風を吹出させることで、風を横方向に向かって吹出すことができるため、特に夏季において、効率よく居室１１６内の冷房を行うことができる。
【００４０】
図４（Ｂ）は、空調機１０および送風機７６を稼働させた状態のモードＢを示す模式断面図である。図４（Ｂ）を参照して、モードＢでは、送風機７６の回転により、側面グリル７４から屋内空間１１０の空気が吹出しボックス７１内に取り込まれ、空調機１０からの空気と屋内空間１１０の空気との混合空気が下面グリル７５から吹出す。以下の説明において、空調機１０および送風機７６を稼働させた状態で下面グリル７５から吹出される空気を「混合空気」という。
【００４１】
これにより、空調機１０を冷房運転させる場合は、人体に当たる空気を低温過ぎない冷風にすることができ、低温過ぎない冷風で居住者へ気流感を与えることができる。また、空調機１０を暖房運転させる場合は、暖風を屋内空間１１０の下方に向けて吹出させることで、温かい空気を屋内空間１１０内で循環させて、屋内空間１１０の上方および下方の温度差を解消し、屋内空間１１０の下方の居住域を早く温めることができる。そのため、この動作は、屋内空間１１０の温度（室温）が快適温度に達していない状態、または、居住者の帰宅前３０分前位から運転させて屋内空間１１０を温めておく場合に有効である。
【００４２】
図４（Ｃ）は、空調機１０を稼働させず、送風機７６だけを稼働させた状態のモードＣを示す模式断面図である。図４（Ｃ）を参照して、モードＣでは、側面グリル７４から屋内空間１１０の空気が吹出しボックス７１内に取り込まれ、下面グリル７５から屋内空間１１０の空気を吹き出す。これにより、室温が適温の場合、または、少しだけ風を感じたい場合など、居住者に気流感を与えることができる。この動作は、いわゆる扇風機のような動作であるため、夏季だけでなく、春や秋など冷房を使わない季節などに有効である。
【００４３】
以下に、本実施の形態に係るダクト式空調システム１の機能構成および動作について、詳細に説明する。
【００４４】
＜ダクト式空調システムの機能構成および動作について＞
図５は、本実施の形態に係るダクト式空調システム１の機能構成を示すブロック図である。
【００４５】
図５を参照して、本実施の形態に係るダクト式空調システム１は、制御装置としての操作部８１を含む。操作部８１は、居住者から、ダクト式空調システム１に関する指示の入力を受け付ける。操作部８１は、たとえば１階の居室１１１の壁面に設けられている。制御部８２は、この操作部８１と有線または無線にて接続されている。制御部８２は、有線または無線によって、空調機１０および送風機７６に接続されており、空調機１０および送風機７６の動作を制御可能である。制御部８２は、快適温度（設定温度）を設定する。ここでいう快適温度は、屋内空間１１０の目標とする温度であり、居住者が快適であると感じる温度である。快適温度は、たとえば、夏季は２６〜３０℃、冬季は１７〜２３℃である。快適温度は、制御部８２によりあらかじめ自動で設定してもよいし、手動で設定してもよい。また、屋内空間１１０の温度は、屋内空間１１０に設けられる温度センサにより検出され、制御装置１８０は、有線又は無線によって、温度センサと接続され、温度センサからの信号を受信することができる。
【００４６】
図６は、制御部８２が実行する処理を示すフローチャートである。図６を参照して、空調機１０が運転している場合に、制御部８２が実行する処理を説明する。
【００４７】
図６に示すように、制御部８２は、屋内空間１１０の温度が快適温度に達しているか確認する（Ｓ１）。屋内空間１１０の温度が快適温度に達している場合とは、空調機１０が冷房運転している場合は、屋内空間１１０の温度が快適温度（たとえば、２６〜３０℃）になっている場合であり、空調機１０が暖房運転している場合は、屋内空間１１０の温度が快適温度（たとえば、１７〜２３℃）になっている場合である。屋内空間１１０の温度が快適温度に達している場合、空調機１０だけを稼働させ、送風機７６の運転を停止するモードＡ（図４（Ａ））に切替えて（Ｓ２）、居住者に気流感を与えないようにする。屋内空間１１０が快適温度に達していない場合、空調機１０および送風機７６を稼働させるモードＢ（図４（Ｂ））に切替える（Ｓ３）。夏季であれば、居住者に気流感を与えて涼感を感じさせるためであり、冬季であれば、温かい空気を屋内空間１１０内で循環させて、屋内空間１１０の上方および下方の温度差を解消し、屋内空間１１０の下方の居住域を早く温めるためである。
【００４８】
図７は、モードＢに切り替えた場合、制御部８２が実行する処理を示すフローチャートである。図７を参照して、モードＢに切り替えた後に実行する処理を説明する。
【００４９】
まず、空調機１０および送風機７６の稼働中に下面グリル７５から放出される空気、すなわち混合空気の風速Ｖｒと、混合空気の温度Ｔｓと、放射温度や湿度等に基づいて体感温度（ＳＥＴ＊）を算出する（Ｓ４）。
【００５０】
混合空気の風速Ｖｒは、送風機７６の風量Ｑｆと、吹出し口構造７０と居住域の位置関係などから決定される係数ｋから、以下の式で算出する。
Ｖｒ＝ｋＱｆ
【００５１】
混合空気の温度Ｔｓは、分岐ダクト６４（空調機１０）からの風量Ｑｃ、分岐ダクト６４（空調機１０）からの空気温度Ｔｃ、送風機７６の風量Ｑｆおよび室内温度Ｔｒから、以下の式で算出する。
Ｔｓ＝｛（Ｑｃ×Ｔｃ）÷（Ｑｆ−Ｑｃ）×Ｔｒ｝／Ｑｆ
【００５２】
このように、算出した混合空気の風速Ｖｒ、混合空気の温度Ｔｓに基づき、屋内空間１１０における体感温度（ＳＥＴ＊）を算出する（Ｓ４）。体感温度（ＳＥＴ＊）が快適温度と同じである場合は、同じ設定で引き続き稼働させる（Ｓ５）。体感温度（ＳＥＴ＊）が快適温度よりも高い場合は（Ｓ６）、混合空気の風量Ｑｆを大きくする処理を行うか、空調機１０の設定温度を下げる処理を行う（Ｓ７）。体感温度が快適温度よりも高いということは、居住者が暑い、または、暖かすぎると感じている場合だからである。混合空気の風量Ｑｆを大きくするには、送風機７６の風量を大きくする。送風機７６の風量を大きくする処理、および、空調機１０の設定温度を下げる処理は、たとえば居住者の好みに合わせて手動で行ってもよいし、自動で選択するように設定してもよい。なお、送風機７６の風量を大きくする処理と、空調機１０の設定温度を下げる処理とは、併用して行ってもよい。
【００５３】
一方、体感温度（ＳＥＴ＊）が快適温度よりも低い場合は（Ｓ６）、混合空気の風量Ｑｆを小さくする処理を行うか、空調機１０の設定温度を上げる処理を行う（Ｓ８）。体感温度が快適温度よりも低いということは、居住者が涼しすぎる、または、寒いと感じている場合だからである。混合空気の風量Ｑｆを小さくするには、送風機７６の風量を小さくする。上述したＳ７の工程と同様に、送風機７６の風量を小さくする処理、および、空調機１０の設定温度を上げる処理は、たとえば居住者の好みに合わせて手動で行ってもよいし、自動で選択するように設定してもよい。なお、送風機７６の風量を小さくする処理と、空調機１０の設定温度を上げる処理とは、併用して行ってもよい。空調機１０の設定温度を上げれば、省エネを実現することができる。これにより、体感温度に合わせて、送風機７６と空調機１０の動作を制御することができる。
【００５４】
また、体感温度（ＳＥＴ＊）が快適温度よりも低い場合は（Ｓ６）、上記の処理を行わずに、空調機１０を稼働させ、送風機７６を稼働させていない状態のモードＡに切り替えてもよい。
【００５５】
なお、モードＣに切り替えた場合に実行する処理は、体感温度（ＳＥＴ＊）の算出方法を除いて、上述したモードＢの場合と同様である。モードＣにおける体感温度（ＳＥＴ＊）は、空調機１０の稼働中に下面グリル７５から放出される空気、すなわち送風機７６の風量Ｑｆおよび室内温度Ｔｒに基づいて算出する（Ｓ４）。
【００５６】
これにより、居住者の体感温度に合わせて、気流感を与えないモードＡと、気流感を与えるモードＢとに切り替える制御を簡易な方法で行うことができ、特に気流感を与えるモードＢの場合には、居住者の体感温度に合わせた制御を行うことができる。以上より、吹出し口構造７０から吹出される気流を有効に活用することができる。
【００５７】
＜ダクト式空調システムの吹出し口構造の変形例について＞
図８（Ａ）を参照して、吹出し口構造７０Ａの送風機７６Ａは、正転逆転可能なプロペラファンである。送風機７６Ａは、下面グリル７５の長手方向に沿って、複数設けられていてもよい。プロペラファンを用いる場合、上述した実施の形態に加えて、以下の使用方法がある。
【００５８】
図８（Ｂ）は、送風機７６Ａのプロペラファンを逆回転させて運転させた状態を示す図である。特に空調機１０を暖房運転し、送風機７６Ａを逆回転させると、下面グリル７５から屋内空間１１０の空気を取り込んで、空調機１０の空気と屋内空間１１０の空気とが混合した状態で側面グリル７４から吹出す。これにより、暖風が人体に当たらない、いわゆる気流レス暖房を実現することができ、天井付近に滞留した高温の空気を拡散することができる。このモードは、居住者が帰宅後、屋内空間１１０の温度が快適温度に達していないときに行うことで、居住者に気流感を与えずに、屋内空間１１０の温度差を解消することができる。
【００５９】
なお、本実施の形態における吹出し口構造７０は、建物１００のダクト式空調システム１に設けられるとして説明したが、吹出し口構造７０単体として個別に提供してもよい。
【００６０】
また、上記実施の形態では、吹出し口構造７０，７０Ａは、屋内空間１１０の中央に設けられていた。しかし、吹出し口構造７０Ｂは、図９に示すように、天井仕切り部１２１と壁部１２２とが交差する角部に設けられていてもよい。この配置は、たとえば洗面所、トイレ、キッチンなど狭い空間において有効である。
【００６１】
また、本実施の形態では、吹出し口構造７０は、化粧梁の内部に設けられていた。しかし、吹出し口構造７０は、下がり天井に設けられていてもよい。たとえば、壁際に設けられた下がり天井に配置し、下面グリルの向きを屋内空間１１０側に向けることで、居住者に対して効果的に気流を当てることができる。また、たとえば、大きい窓の上部に設けられる下がり天井に設置することで、窓際にいる居住者に対して、効果的に気流を当てることができる。
【００６２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６３】
１  ダクト式空調システム、１０  空調機、１１  空調機本体、１２  空調機用筐体、２０  送風用ファン、２１  ファン本体、２２  ファン用筐体、３０  分岐チャンバ、４０  ダンパ、５０  吸い込み口、６１  第１主ダクト、６２  第２主ダクト、６３  ダクト、６４  分岐ダクト、７０，７０Ａ，７Ｂ  吹出し口構造、７１  吹出しボックス、７２  側面、７３  下面、７４  側面グリル、７５  下面グリル、７６，７６Ａ  送風機、８１  操作部、８２  制御部、１００  住宅（建物）、１１０  屋内空間、１１１，１１２，１１５，１１６  居室、１１３，１１７  非居室、１１４  階段、１２０  天井空間、１２１  天井仕切り部、１２５  化粧梁、１３０  天井点検口。
【図１】
2019178814.tif 000003
【図２】
2019178814.tif 000004
【図３】
2019178814.tif 000005
【図４】
2019178814.tif 000006
【図５】
2019178814.tif 000007
【図６】
2019178814.tif 000008
【図７】
2019178814.tif 000009
【図８】
2019178814.tif 000010
【図９】
2019178814.tif 000011